(57)【特許請求の範囲】
【請求項１】
第１の電力源に接続されると共に、複数の電力供給先の各々に前記第１の電力源の電力を供給するために前記複数の電力供給先毎に設けられた分岐回路が接続され、前記第１の電力源からの電力の供給が停止したことを検知可能な分電盤と、
前記分岐回路の各々に設けられると共に、各々に第２の電力源が接続され、前記分岐回路及び前記分電盤を介した前記第１の電力源と電力供給先との導通と、前記第２の電力源と電力供給先との導通とを、前記複数の電力供給先毎に切り替える切替手段と、
前記第１の電力源からの電力の供給が停止した場合に、所定の時刻において前記複数の電力供給先のどれに前記第２の電力源からの電力を供給するかを記した時刻別電力供給先切替情報及び前記第１の電力源からの電力の供給が停止する年月日時及び該停止した前記第１の電力源からの電力の供給が復旧する年月日時を記した計画停電情報を記憶した記憶手段と、
前記第１の電力源からの電力の供給が停止したことを前記分電盤で検知した場合に、前記記憶手段に記憶されている時刻別電力供給先切替情報に基づいて、前記電力供給先に前記第２の電力源からの電力を供給するように前記切替手段を制御すると共に、前記計画停電情報に記された前記第１の電力源からの電力の供給が停止する年月日時に、前記時刻別電力供給先切替情報に基づいて、前記複数の電力供給先に前記第２の電力源からの電力を供給するように前記切替手段を制御する制御手段と、
を備えた電力供給システム。
【請求項２】
前記制御手段は、前記第１の電力源からの電力の供給が停止したことを前記分電盤で検知した場合に、前記時刻別電力供給先切替情報に基づいて、前記第１の電力源からの電力の供給が停止した時間帯に応じて、前記複数の電力供給先の１つに前記第２の電力源からの電力を供給し、当該１つの電力供給先に前記第２の電力源からの電力を供給する時間帯以外で前記第１の電力源からの電力の供給が停止した場合は、前記複数の電力供給先に前記第２の電力源からの電力を供給するように前記切替手段を制御する請求項１に記載の電力供給システム。
【請求項３】
前記制御手段は、前記第１の電力源からの電力の供給が停止した時間帯が特定の時間帯であるときは、第１の電力供給先及び第２の電力供給先を含む前記複数の電力供給先に前記第２の電力源からの電力を供給可能とし、前記特定の時間帯以外の時間帯では、前記第２の電力源からの電力は、前記第１の電力供給先にのみ供給可能とするように前記切替手段を制御する請求項２に記載の電力供給システム。
【請求項４】
前記制御手段は、前記計画停電情報に記された前記第１の電力源からの電力の供給が停止する年月日時に前記複数の電力供給先の全てに前記第２の電力源からの電力を供給するように前記切替手段を制御した後、
前記第１の電力源からの電力が停止したことを前記分電盤で検知した場合は、前記時刻別電力供給先切替情報に基づいて前記複数の電力供給先に前記第２の電力源からの電力を供給するように前記切替手段を制御し、
前記第１の電力源からの電力が停止したことを前記分電盤で検知しない場合は、前記複数の電力供給先の全てに前記第１の電力源からの電力を供給するように前記切替手段を制御する請求項１に記載の電力供給システム。
【請求項５】
前記切替手段は、前記制御手段による制御のみならず、手動でも操作可能な請求項１〜４の何れか１項に記載の電力供給システム。
【発明の詳細な説明】
【技術分野】
【０００１】
本発明は、建物の給電制御システムにかかり、特に、停電発生時等のような非常時に建物内に電力を供給可能な建物の給電制御システムに関する。
【背景技術】
【０００２】
以前から、停電発生時等のような非常時に外部電源に切り替えて電力を確保する種々の技術が提案されている。
【０００３】
例えば、特許文献１に記載の技術では、停電発生等のような非常時又はタイムスケジュールに応じて、電力供給源を電力会社による系統電力から外部の非常用電源に切り替えることが提案されている。
【先行技術文献】
【特許文献】
【０００４】
【特許文献１】特開２０１１−５０１３１号公報
【発明の概要】
【発明が解決しようとする課題】
【０００５】
しかしながら、特許文献１に記載の技術では、外部電源の電力を建物の全ての区域に分配しており、系統電力に比して電力に限りがある外部電源の電力を必要とされる区域に優先的に供給するということが考慮されていない。
【０００６】
本発明は、上記事実を考慮して成されたもので、停電等で系統電力から外部電源に切り替える際に、時間帯に応じて建物の区域別に外部電源の電力の供給を制御する給電制御システムを提供することを目的とする。
【課題を解決するための手段】
【０００７】
上記目的を達成するために請求項１に記載の発明は、第１の電力源に接続されると共に、複数の電力供給先の各々に前記第１の電力源の電力を供給するために前記複数の電力供給先毎に設けられた分岐回路が接続され、前記第１の電力源からの電力の供給が停止したことを検知可能な分電盤と、前記分岐回路の各々に設けられると共に、各々に第２の電力源が接続され、前記分岐回路及び前記分電盤を介した前記第１の電力源と電力供給先との導通と、前記第２の電力源と電力供給先との導通とを、前記複数の電力供給先毎に切り替える切替手段と、前記第１の電力源からの電力の供給が停止した場合に、所定の時刻において前記複数の電力供給先のどれに前記第２の電力源からの電力を供給するかを記した時刻別電力供給先切替情報及び前記第１の電力源からの電力の供給が停止する年月日時及び該停止した前記第１の電力源からの電力の供給が復旧する年月日時を記した計画停電情報を記憶した記憶手段と、前記第１の電力源からの電力の供給が停止したことを前記分電盤で検知した場合に、前記記憶手段に記憶されている時刻別電力供給先切替情報に基づいて、前記電力供給先に前記第２の電力源からの電力を供給するように前記切替手段を制御すると共に、前記計画停電情報に記された前記第１の電力源からの電力の供給が停止する年月日時に、前記時刻別電力供給先切替情報に基づいて、前記複数の電力供給先に前記第２の電力源からの電力を供給するように前記切替手段を制御する制御手段と、を備えることを特徴としている。
【０００８】
請求項１に記載の発明によれば、第１の電力源は、電力会社からの系統電力であり、第２の電力源は、第１の電力源が停電等によって停止した場合に用いられる非常用の電源であって、太陽光発電装置、内燃機関で動作する発電装置、若しくは燃料電池を用いた発電装置、又はこれらの発電電力若しくは系統電力を蓄電する蓄電池等である。
【０００９】
分電盤は、系統電力を電力供給先である建物内の居室等に分配する装置であって、電力供給先である居室等とは各々分岐回路で接続されている。
【００１０】
切替手段は、電力供給先である居室等毎に設けられており、居室等の各々に、系統電力からの電力を供給するか、外部電源からの電力を供給するかを居室等毎に切り替えるスイッチである。
【００１１】
記憶手段は、ＨＥＭＳ（Home Energy Management System）が有するメモリであって、停電した時刻によって、電力供給先である居室等のどれに外部電源の電力を供給するかを記した情報である外部電源給電スケジュール及び第１の電力源からの電力の供給が停止する年月日時及び停止した第１の電力源からの電力の供給が復旧する年月日時を記した計画停電情報を記憶している。
【００１２】
制御手段は、ＨＥＭＳであって、外部電源給電スケジュールに基づいて前述のスイッチを制御する。これによって、停電等で系統電力から外部電源に切り替える際に、時間帯に応じて建物の区域別に外部電源の電力の供給を制御することができる。また、ＨＥＭＳは、計画停電情報に記された第１の電力源からの電力の供給が停止する年月日時に、複数の電力供給先に第２の電力源からの電力を供給するように前述のスイッチを制御してもよい。これによって、計画停電に対応した制御が可能となる。
【００１３】
また、請求項２に記載の発明のように、前記制御手段は、前記第１の電力源からの電力の供給が停止したことを前記分電盤で検知した場合に、前記時刻別電力供給先切替情報に基づいて、前記第１の電力源からの電力の供給が停止した時間帯に応じて、前記複数の電力供給先の１つに前記第２の電力源からの電力を供給し、当該１つの電力供給先に前記第２の電力源からの電力を供給する時間帯以外で前記第１の電力源からの電力の供給が停止した場合は、前記複数の電力供給先に前記第２の電力源からの電力を供給するように前記切替手段を制御してもよい。
【００１４】
請求項２に記載の発明によれば、第１の電力源からの電力の供給が停止した時間帯に応じて、複数の電力供給先の１つに第２の電力源からの電力を供給し、当該１つの電力供給先に第２の電力源からの電力を供給する時間帯以外で第１の電力源からの電力の供給が停止した場合は、複数の電力供給先に第２の電力源からの電力を供給するようにすることにより、停電時は時間帯に応じて、特定の電力供給先に優先的に第２の電力源の電力を供給することができる、
【００１５】
なお、請求項３に記載の発明のように、前記制御手段は、前記第１の電力源からの電力の供給が停止した時間帯が特定の時間帯であるときは、第１の電力供給先及び第２の電力供給先を含む前記複数の電力供給先に前記第２の電力源からの電力を供給可能とし、前記特定の時間帯以外の時間帯では、前記第２の電力源からの電力は、前記第１の電力供給先にのみ供給可能とするように前記切替手段を制御してもよい。これによって、特定の時間帯において複数の電力供給先に第２の電力源からの電力を供給でき、その他の時間帯では、特定の電力供給先にのみ第２の電力源からの電力を供給できる。
【００１７】
また、請求項４に記載の発明のように、前記制御手段は、前記計画停電情報に記された前記第１の電力源からの電力の供給が停止する年月日時に前記複数の電力供給先の全てに前記第２の電力源からの電力を供給するように前記切替手段を制御した後、前記第１の電力源からの電力が停止したことを前記分電盤で検知した場合は、前記時刻別電力供給先切替情報に基づいて前記複数の電力供給先に前記第２の電力源からの電力を供給するように前記切替手段を制御し、前記第１の電力源からの電力が停止したことを前記分電盤で検知しない場合は、前記複数の電力供給先の全てに前記第１の電力源からの電力を供給するようにしてもよい。これによって、実際に計画停電が実行されなかった場合は、外部電源ではなく系統電力の電力を使用することができるので、外部電源の電力を温存することができる。
【００１８】
また、請求項５に記載の発明のように、前記切替手段は、前記制御手段による制御のみならず、手動で操作可能であってもよい。これによって、制御手段の制御によらない、使用者の意思を優先した電力の供給が可能となる。
【発明の効果】
【００１９】
以上説明したように本発明によれば、停電等で系統電力から外部電源に切り替える際に、時間帯に応じて建物の区域別に外部電源の電力の供給を制御する給電制御システムを提供することができる、という効果がある。
【図面の簡単な説明】
【００２０】
【図１】本発明の実施の形態に係る給電制御システムの一例を示す概略図である。
【図２】本発明の実施の形態に係る給電制御システムに含まれるＨＥＭＳの概略構成を示すブロック図である。
【図３】本発明の実施の形態に係る停電時の外部電源の供給先を示す外部電源給電スケジュールの一例である。
【図４】本発明の実施の形態に係る給電制御システムの停電時におけるＨＥＭＳの制御のフローチャートである。
【図５】本発明の実施の形態に係る給電制御システムの計画停電時におけるＨＥＭＳの制御のフローチャートである。
【発明を実施するための形態】
【００２１】
以下、図面を参照して本発明の実施の形態の一例を詳細に説明する。図１は、本発明の実施の形態に係る給電制御システム１００の概略構成を示すブロック図である。なお、図１中の実線は電力線を示し、点線は情報線を示すものとする。
【００２２】
建物１０には、電力会社から供給される系統電力が接続される分電盤１２が設けられており、系統電力からの電力が分電盤１２を介して建物１０内に供給されるようになっている。
【００２３】
分電盤１２からは、分岐回路１４及び１６が、回路切替スイッチボックス２０に接続されている。図１において、分電盤１２から分岐回路１４を経由した電力は居室Ａ３０に、分電盤１２から分岐回路１６を経由した電力は居室Ｂ４０に、各々回路切替スイッチボックス２０を介して供給される。
【００２４】
居室Ａ３０にはコンセント３２及び照明３４が、居室Ｂ４０にはコンセント４２及び照明４４が、各々設けられていて、系統電力又は外部電源からの電力が供給される。
【００２５】
本発明の実施の形態において、外部電源は、系統電力が停電等によって停止した場合に用いられる非常用の電源であって、図示しない太陽光発電装置、内燃機関で動作する発電装置、若しくは燃料電池を用いた発電装置、又はこれらの発電電力若しくは系統電力を蓄電する蓄電池等である。
【００２６】
また、ハイブリッド車及び電気自動車が搭載している蓄電池を外部電源とすることも可能である。
【００２７】
回路切替スイッチボックス２０は、居室Ａ３０に供給される電力を系統電力と外部電源とのいずれかに切り替える切替スイッチＡ２１、及び居室Ｂ４０に供給される電力を系統電力と外部電源とのいずれかに切り替える切替スイッチＢ２２を有する。
【００２８】
切替スイッチＡ２１は、端子２１ａ及び２１ｂを有し、通常時は端子２１ａに切り替わっていて、系統電力からの電力を居室Ａ３０に供給し、停電時には端子２１ｂに切り替わって、外部電源からの電力を居室Ａ３０に供給する。
【００２９】
切替スイッチＢ２２は、端子２２ａ及び２２ｂを有し、通常時は端子２２ａに切り替わっていて、系統電力からの電力を居室Ｂ４０に供給し、停電時には端子２２ｂに切り替わって、外部電源からの電力を居室Ｂ４０に供給する。
【００３０】
また、回路切替スイッチボックス２０は、外部電源から供給される電力の電圧を測定する電圧計２４、外部電源から供給される電力の電流を測定する電流計２６、及び漏電又は短絡時に外部電源と切替スイッチＡ２１及びＢ２２との導通を遮断する漏電遮断器兼過電流遮断器２８を有する。
【００３１】
分電盤１２及び回路切替スイッチボックス２０には、建物内の給電管理及び制御を行うＨＥＭＳ５０が接続されている。ＨＥＭＳ５０は、分電盤１２において系統電力から供給される電力の電圧及び電流を監視することによって停電を検知し、停電を検知した場合は、外部電源からの電力を所定の区域に供給するように回路切替スイッチボックス２０を制御する。
【００３２】
図２は、本発明の実施の形態に係る給電制御システム１００に含まれるＨＥＭＳ５０の概略構成を示すブロック図である。
【００３３】
ＨＥＭＳ５０は、コンピュータを含んで構成されており、図２に示すように、ＣＰＵ５６、ＲＯＭ５８、ＲＡＭ６０、及び入出力ポート６２を備えて、これらがアドレスバス、データバス、及び制御バス等のバス６４を介して互いに接続されている。
【００３４】
入出力ポート６２には、各種入出力機器として、表示部６６、操作部６８、及びメモリ７０が接続されている。なお、表示部６６及び操作部６８は一体で構成され、操作部６８は、表示部６６に設けられたタッチパネルを適用するようにしてもよいし、タッチパネルの他に操作ボタンを備えるようにしてもよい。
【００３５】
メモリ７０には、建物内の電力供給に関する各種制御や表示部６６に表示するための表示制御等を行うためのプログラム、分電盤１２及び回路切替スイッチボックス２０の制御を行うためのプログラム、並びにこれらのプログラムを実行するための各種情報等が記憶されており、メモリ７０に記憶されたプログラムをＲＡＭ６０等に展開してＣＰＵ５６が実行することにより、建物内の電力供給に関する各種制御や表示制御等の制御を行うようになっている。
【００３６】
さらに、入出力ポート６２には、系統電力から分電盤１２に供給される電力を監視するセンサが接続されている。なお、入出力ポート４２には、インターネット等のネットワークを接続可能として、外部の機器（例えば、予め定めた情報センター等）と情報の授受を可能としてもよい。
【００３７】
図３は、本発明の実施の形態に係る停電時の外部電源の供給先を示す外部電源給電スケジュールの一例である。外部電源給電スケジュールは、ＨＥＭＳ５０のメモリ７０に記憶されている。また、外部電源給電スケジュールの内容は、表示部６６に表示可能であり、操作部６８からの操作によって、使用者が設定し、かつ適宜変更可能であるとする。
【００３８】
図３に示した外部電源給電スケジュールの一例では、停電時において、時刻が６：００から１９：５９までの間は、図１の居室Ｂ４０に外部電力を供給しない設定になっている。外部電源は、系統電力に比して使用できる電力には限界があるため、電力が供給される建物の区域を時間帯で制限している。
【００３９】
なお、本発明の実施の形態では、図１及び図３において、電力の供給先を居室Ａ及び居室Ｂとした。しかしながら、図１及び図３に示した構成は、本発明を理解しやすくするための簡素な例示であり、より多くの居室、さらには浴室、洗面所、台所、廊下、階段及び玄関等の区域に電力を供給する構成であってもよい。
【００４０】
本発明の実施の形態に係る給電制御システムのＨＥＭＳ５０は、分電盤１２において、系統電力の電圧及び電流がゼロになった場合に停電と判断して、図３の外部電源給電スケジュールに基づく給電制御を行う。
【００４１】
図４は、本発明の実施の形態に係る給電制御システムの停電時におけるＨＥＭＳの制御のフローチャートである。
【００４２】
図４のステップ４００で、ＨＥＭＳ５０は、分電盤１２において、系統電力の電圧及び電流がゼロになったか否かを判定し、系統電力の電圧及び電流がゼロになったと判定した場合は、ステップ４０２で外部電源給電スケジュールの時刻と現在時刻との照合を開始する。
【００４３】
系統電力の電圧及び電流がゼロになっていない場合は、ステップ４０４において、居室Ａ及びＢの切替スイッチ２１及び２２は、系統電力側の端子２１ａ及び２２ａに各々切り替わった状態とし、手順をステップ４００に戻す。
【００４４】
ステップ４０６では、現在時刻で、居室Ａに外部電源からの電力を供給してよいか否かを外部電源給電スケジュールに基づいて判定し、居室Ａに外部電源からの電力を供給してよい場合は、ステップ４０８で、居室Ａの切替スイッチ２１を外部電源側の端子２１ｂに切り替える。
【００４５】
また、居室Ａに外部電源からの電力を供給しない場合は、ステップ４１０において、居室Ａの切替スイッチ２１は系統電力側の端子２１ａに切り替わった状態とする。
【００４６】
ステップ４１２では、現在時刻で、居室Ｂに外部電源からの電力を供給してよいか否かを外部電源給電スケジュールに基づいて判定し、居室Ｂに外部電源からの電力を供給してよい場合は、ステップ４１４で、居室Ｂの切替スイッチ２２を外部電源側の端子２２ｂに切り替える。
【００４７】
また、居室Ｂに外部電源からの電力を供給しない場合は、ステップ４１６において、居室Ｂの切替スイッチ２２は系統電力側の端子２２ａに切り替わった状態とする。
【００４８】
以上、ステップ４１４又は４１６までの処理を実行した後、手順はステップ４００に戻り、ステップ４００において、系統電力の電圧及び電流がゼロか否かを再び判定する。
【００４９】
ＨＥＭＳ５０は、ステップ４００で、系統電力の電圧及び電流がゼロではなく所定の値を示すようになった場合に系統電力が復旧したと判定し、系統電力が復旧したと判定された場合は、ステップ４０４において居室Ａ及びＢの切替スイッチ２１及び２２が、系統電力側の端子２１ａ及び２２ａに各々切り替えられる。
【００５０】
なお、図４では、図１及び図３の場合と同じく、居室Ａ及び居室Ｂを系統電力の他に外部電源の電力が供給される区域とした。
【００５１】
しかしながら、居室Ａ及び居室Ｂ以外の区域、例えば、台所及び浴室等にも系統電力の他に外部電源の電力が供給可能なように、図１の回路切替スイッチボックス２０内に、居室Ａ及び居室Ｂ以外の区域用の切替スイッチが設けられている場合は、居室Ａ及び居室Ｂ以外の区域の区域においても、停電時に当該区域に外部電源からの電力を供給するか否かの制御が可能である。
【００５２】
この場合は、図３に示した外部電源給電スケジュールに、居室Ａ及び居室Ｂ以外の項目を設け、当該区域の項目に外部電源からの電力が供給される時間帯を記載することで、居室Ａ及び居室Ｂ以外の区域においても、停電時の時間帯に応じて外部電源の電力を供給するか否かの制御を行うことができる。
【００５３】
図３に示した外部電源給電スケジュールに居室Ａ及び居室Ｂ以外の区域を記載した場合、ＨＥＭＳ５０は、図４のステップ４１４及び４１６以降の手順で、居室Ａ及び居室Ｂ以外の区域において、現在時刻で外部電源をからの電力を供給してよいか否かを外部電源給電スケジュールに基づいて判定する。当該区域に外部電源からの電力を供給してよい場合は、次の手順で当該区域の切替スイッチを外部電源側の端子に切り替える。
【００５４】
居室Ａ及び居室Ｂ以外の区域が２以上存在する場合は、外部電源給電スケジュールの記載に基づいて、当該２以上の区域の各々について、順次、現在時刻で外部電源の電力を供給してよいかを否かを判定し、当該２以上の区域の各々についての切替スイッチが制御される。
【００５５】
また、本発明の実施の形態に係る給電制御システムは、停電する年月日時が予定されている、いわゆる計画停電にも対応している。
【００５６】
使用者は計画停電の年月日時を知らされた場合、ＨＥＭＳ５０の操作部６８から、計画停電が開始される年月日時と当該計画停電が終了する年月日時とを計画停電の年月日時として入力する。入力された計画停電の年月日時は、ＨＥＭＳ５０のメモリ７０に記憶されるので、ＨＥＭＳ５０は、現在の時刻がメモリ７０に記憶された計画停電の年月日時であるか否かを判定することにより、計画停電に対応した給電制御を行う。
【００５７】
図５は、本発明の実施の形態に係る給電制御システムの計画停電時におけるＨＥＭＳの制御のフローチャートである。
【００５８】
図５のステップ５００では、メモリ７０に記憶されている計画停電の年月日時を参照し、現在時刻が計画停電の時刻か否かを判定する。
【００５９】
現在時刻が計画停電の年月日時に該当する場合は、ステップ５０２で、居室Ａ及びＢの切替スイッチ２１及び２２を、外部電力側の端子２１ｂ及び２２ｂに各々切り替える。計画停電の時刻になると、系統電力からの電力の供給が停止するおそれがあるので、ステップ５０２で、ひとまず電力の供給元を外部電源に切り替えることで、電力の使用を継続できるようにしている。
【００６０】
現在時刻が計画停電の年月日時でない場合は、ステップ５０４で、ＨＥＭＳ５０は、分電盤１２において、系統電力の電圧及び電流がゼロになったか否かを判定し、系統電力の電圧及び電流がゼロになっていない場合は、ステップ５０６において、居室Ａ及びＢの切替スイッチ２１及び２２を、系統電力側の端子２１ａ及び２２ａに各々切り替わった状態とし、手順をステップ５００に戻す。
【００６１】
ステップ５０２で、居室Ａ及びＢの切替スイッチ２１及び２２を、外部電力側の端子２１ｂ及び２２ｂに各々切り替えた場合は、ステップ５０８で、ＨＥＭＳ５０は、分電盤１２において、系統電力の電圧及び電流がゼロになったか否かを判定する。
【００６２】
ステップ５０８で系統電力の電圧及び電流がゼロになったと判定した場合は、ステップ５１０で外部電源給電スケジュールの時刻と現在時刻との照合を開始する。
【００６３】
なお、前述のステップ５０４において、系統電力の電圧及び電流がゼロになったと判定した場合も、手順はステップ５１０に移行し、外部電源給電スケジュールの時刻と現在時刻との照合を開始する。
【００６４】
また、ステップ５０８で系統電力の電圧及び電流がゼロになっていない場合は、ステップ５０６において、居室Ａ及びＢの切替スイッチ２１及び２２を、系統電力側の端子２１ａ及び２２ａに各々切り替わった状態とし、手順をステップ５００に戻す。
【００６５】
ステップ５１２では、現在時刻で、居室Ａに外部電源からの電力を供給してよいか否かを外部電源給電スケジュールに基づいて判定し、居室Ａに外部電源からの電力を供給してよい場合は、ステップ５１４で、居室Ａの切替スイッチ２１を外部電源側の端子２１ｂに切り替える。
【００６６】
また、居室Ａに外部電源からの電力を供給しない場合は、ステップ５１６において、居室Ａの切替スイッチ２１は系統電力側の端子２１ａに切り替わった状態とする。
【００６７】
ステップ５１８では、現在時刻で、居室Ｂに外部電源からの電力を供給してよいか否かを外部電源給電スケジュールに基づいて判定し、居室Ｂに外部電源からの電力を供給してよい場合は、ステップ５２０で、居室Ｂの切替スイッチ２２を外部電源側の端子２２ｂに切り替える。
【００６８】
また、居室Ｂに外部電源からの電力を供給しない場合は、ステップ５２２において、居室Ｂの切替スイッチ２２は系統電力側の端子２２ａに切り替わった状態とする。
【００６９】
以上、ステップ５２０又は５２２までの処理を実行した後、手順はステップ５００に戻り、ステップ５００において、現在時刻が計画停電の時刻か否かを再び判定する。
【００７０】
ＨＥＭＳ５０は、ステップ５００で、現在時刻が計画停電の時刻でない場合は、ステップ５０４において、系統電力からの電力供給が復旧したか否かを判定する。
【００７１】
ステップ５０４において、系統電力からの電力供給が復旧したと判定した場合は、ステップ５０６で、居室Ａ及びＢの切替スイッチ２１及び２２を、系統電力側の端子２１ａ及び２２ａに各々切り替え、居室Ａ及びＢに系統電力からの電力が供給されるようにする。
【００７２】
なお、図５では、図１、図３及び図４の場合と同じく、居室Ａ及び居室Ｂで停電時に外部電源の電力が供給されるか否かを判定したが、上述のように、居室Ａ及び居室Ｂ以外の区域においても外部電源の電力が供給されるか否かを外部電源給電スケジュールに基づいて判定するようにしてもよい。
【００７３】
以上説明したように、本発明の実施の形態に係る給電制御システムは、停電により系統電力からの電力供給が途絶えたことを検知すると共に、停電時に外部電源からの電力を供給してよい区域を時間別に定めた外部電源給電スケジュールに基づいて、外部電源からの電力の供給を制御している。
【００７４】
かかる制御により、本発明の実施の形態に係る給電制御システムは、系統電力に比して電力が限られている外部電源の電力を、必要とされる区域に供給することができる。
【００７５】
また、本発明の実施の形態に係る給電制御システムは、計画停電が予定されている年月日時になった場合、いったんは、建物の全区域に外部電源からの電力が供給されるようにして、全区域で電力の継続的な使用を担保している。
【００７６】
いったん全区域で電力の継続的な使用を担保した後は、系統電力の電力供給が停止しているか否かを判定し、系統電力の電力供給が停止している場合に、上記の外部電源給電スケジュールに基づいて、外部電源からの電力の供給を制御している。
【００７７】
かかる制御により、実際に計画停電が実行されなかった場合は、外部電源ではなく系統電力の電力を使用することができるので、外部電源の電力を温存することができる。
【００７８】
また、本発明の実施の形態では、計画停電の時間が経過した場合にも、系統電力の電力供給が停止しているか否かを判定し、系統電力の電力が復旧したと判定した上で外部電源に替えて系統電力が建物の各区域に供給されるようにしている。
【００７９】
このように、系統電力の電力が復旧したと判定した上で外部電源から系統電力に切り替えることにより、作業の遅れ等によって、計画停電が予定の時刻に終了していなかった場合でも建物の所定区域への電力の供給が滞らないという効果を奏する。
【符号の説明】
【００８０】
１０  建物
１２  分電盤
１４、１６  分岐回路
２０  回路切替スイッチボックス
２１、２２  切替スイッチ
２１ａ、２１ｂ、２２ａ、２２ｂ  端子
２４  電圧計
２６  電流計
２８  漏電遮断器兼過電流遮断器
３０  居室Ａ
３２  コンセント
３４  照明
４０  居室Ｂ
４２  コンセント
４４  照明
５０  ＨＥＭＳ
５６  ＣＰＵ
５８  ＲＯＭ
６０  ＲＡＭ
６２  入出力ポート
６４  バス
６６  表示部
６８  操作部
７０  メモリ
１００  給電制御システム
【図１】
0005933221.tif 000002
【図２】
0005933221.tif 000003
【図３】
0005933221.tif 000004
【図４】
0005933221.tif 000005
【図５】
0005933221.tif 000006